(57)【要約】      （修正有）【課題】ほこりや湿気が入ることを簡単に防止して、薬剤を適切に格納する薬剤箱を提供する。【解決手段】薬剤箱は、区画フレーム１６を有する容器と、容器に回転可能に据え付けられて容器の前側を選択的に覆う複数の前カバーと、後蓋３０とを有する。後蓋は、容器の後側に取り外し可能に据え付けられ、外周辺フレーム３１１及び複数の内環状フレーム３１２を有するメインカバーパネル３１と、２つのサイドロッキングパネル３２とを有する。メインカバーパネルが容器の後側を覆っている場合に、メインカバーパネルの外周辺フレームと内環状フレームとの間に形成された溝に容器の区画フレームが突出するので、容器の後側を後蓋によって確実に密閉することができる。【選択図】図４
0003230160.tif 000002
【実用新案登録請求の範囲】
【請求項１】
容器を備え、当該容器が、
周辺側壁と、
前記周辺側壁に囲まれて接続され、前記容器の内部を複数の区画に分ける複数の横方向仕切りと、
前記周辺側壁の外面に対向して形成された２つの第１ロッキング部と、
前記容器の後側に形成され、前記周辺側壁及び横方向仕切りに沿って配置された区画フレームと、を有し、
前記容器に回転可能に据え付けられ、それぞれ前記区画を密閉するために前記容器の前側を選択的に覆う複数の前カバーを備え、
前記容器の後側に取り外し可能に据え付けられた後蓋を備え、当該後蓋は、
前記容器の後側を覆うメインカバーパネルを有し、当該メインカバーパネルが、
前記メインカバーパネルの内面に形成された外周辺フレームであって、前記メインカバーパネルが前記容器の後側を覆う場合に、前記区画フレームを囲う外周辺フレームと、
前記メインカバーパネルの内面に形成され、前記外周辺フレームに囲まれ、それぞれ前記容器の区画に位置に対応し、それぞれが、前記区画の対応する１つの形状に対応する複数の内環状フレームであって、前記メインカバーパネルが前記容器の後側を覆う場合に、それぞれ対応する区画に突出し、前記容器の区画フレームが前記内環状フレームを囲う内環状フレームと、を有し、
それぞれが前記容器の第１ロッキング部と取り外し可能に係合される第２ロッキング部を有する、前記メインカバーパネルの２つの対向側端に回転可能に接続される２つのサイドロッキングパネルと、を備える、
薬剤箱。
【請求項２】
前記各前カバーは、前記前カバーの内面に形成され、前記区画の対応する１つに形状が対応する内環状フレームを有し、前記前カバーが前記容器の前側を覆う場合に、前記内環状フレームが前記区画の対応する１つに突出する、請求項１記載の薬剤箱。
【請求項３】
前記容器は、さらに、少なくとも１つの縦方向仕切りを有し、前記少なくとも１つの縦方向仕切り及び前記横方向仕切りは、前記容器の周辺側壁に囲まれて接続され、前記容器の内部を前記複数の区画に分け、
前記容器の区画フレームは、前記周辺側壁と、前記横方向仕切りと、前記少なくとも１つの縦方向仕切りと、に沿って配置されている、
請求項１又は２記載の薬剤箱。
【請求項４】
前記容器は、さらに、前記容器の後側から突出する少なくとも１つの位置合わせ凸部を有し、
前記後蓋のメインカバーパネルは、さらに、前記メインカバーパネルを通って形成された少なくとも１つの位置合わせ穴を有し、前記少なくとも１つの各位置合わせ穴は、前記容器の位置合わせ凸部の対応する１つに位置が対応し、前記メインカバーパネルが前記容器の後側を覆う場合に、少なくとも１つの位置合わせ凸部が少なくとも１つの位置合わせ穴に突出する、
請求項１から３のいずれ記載の薬剤箱。
【請求項５】
前記後蓋は、さらに、強磁性があって、前記メインカバーパネルの外面に埋め込まれている位置決め板を有する、請求項１から３のいずれか記載の薬剤箱。
【請求項６】
少なくとも１つの前記各縦方向仕切りは、前記縦方向仕切りを通って形成された複数の挿入スロットを有し、
前記各前カバーは、
前記縦方向仕切りの挿入スロットの対応する１つに確実に挿入される、挿入パネルに回転可能に取り付けられた近位端と、
前記容器の前側を選択的に覆うために、前記容器の周辺側壁に取り外し可能に接続された遠位端と、
を有する、
請求項３又４記載の薬剤箱。
【請求項７】
前記２つの各前カバーが同じ前記挿入パネルに取り付けられている、請求項６記載の薬剤箱。
【考案の詳細な説明】
【技術分野】
【０００１】
本考案は、薬剤箱に関し、特に、改良された密閉効果を有する薬剤箱に関する。
【背景技術】
【０００２】
薬剤箱は、患者の投薬過誤を防止又は軽減するために、予定された投薬量の投薬を保管するための複数の区画を有している。
【０００３】
図８を参照すると、従来の薬剤箱６０は、容器６１と、複数の前カバー６２と、後部カバー６３と、を備えている。容器６１の内部は、複数の区画６１０に分けられている。各区画６１０は、容器６１の前側及び容器６１の後側を通って規定される。前カバー６２は、容器６１に回転可能に据え付けられており、区画６１０をそれぞれ密閉するために容器６１の前側を覆うことが可能である。後部カバー６３は、容器６１に回転可能に据え付けられており、区画６１０をそれぞれ密閉するために容器６１の後側を覆うことが可能である。
【０００４】
後部カバー６３は、１週間又は１ヶ月の供給分を準備するために、区画６１０に錠剤やカプセルなどの錠剤を分配するのに便利なように、同時に全ての区画６１０を露出するように開けることができる。各前カバー６２は、１つの時区間用に薬剤を取り出すために個別に開けることができる。
【０００５】
しかし、図８に示すように、従来の薬剤箱６０では、容器６１は、周辺側壁６１１と、複数の横方向仕切り６１２と、少なくとも１つの縦方向仕切り６１３と、複数の係合凹部６１４とを有している。横方向仕切り６１２及び少なくとも１つの縦方向仕切り６１３は、周辺側壁６１１に囲まれて接続されて、容器６１の内部を前記複数の区画６１０に分けている。係合凹部６１４は、それぞれ、横方向仕切り６１２の後縁に形成されている。後部カバー６３は、容器６１に面する内面と、複数の一対の保持リブ６３１と、複数の係合凸部６３２とを有する。一対の保持リブ６３１は、後部カバー６３の内面に別個に形成されている。係合凸部６３２は、後部カバー６３の内面から別個に突出している。
【０００６】
後部カバー６３が容器６１を覆う場合、後部カバー６３は容器６１の後側に置かれ、各一対の保持リブ６３１は対応する１つの横方向仕切り６１２を保持し、係合凸部６３２はそれぞれ係合凹部６１４に係合される。
【０００７】
図８及び図９を参照すると、ほこりや湿気が従来の薬剤箱６０に入ったり、薬剤が容器６１の周辺側壁６１１と後部カバー６３との間の隙間を通って従来の薬剤箱６０から脱落したりする可能性があることを恐れ、ユーザは、後部カバー６３を閉じるときに、全ての係合凸部６３２が容器６１の係合凹部６１４に係合するように、後部カバー６３を押さなければならなかった。
【０００８】
緩みを回避するためには、係合凸部６３２と係合凹部６１４とを相互に密接に合致させなければならないが、これでは後部カバー６３を開閉することが困難になる。しかし、係合凸部６３２と係合凹部６１４との合致を、簡易に開閉できるようにするために相互に緩ませると、係合凸部６３２は、係合凹部６１４からの係止が容易に解除されてしまい、その結果、後部カバー６３が、容器６１から容易に外れることになる。したがって、従来の薬剤箱６０の容器６１と後部カバー６３との間の接続構造は、薬剤を格納しておくことには適していない。
【考案の開示】
【０００９】
本考案の主な目的は、容器と、複数の前カバーと、後蓋と、を備える薬剤箱を提供することである。
【００１０】
容器は、周辺側壁と、複数の横方向仕切りと、２つの第１ロッキング部と、区画フレームと、を備えている。横方向仕切りは、周辺の側壁に囲まれて接続され、容器の内部を複数の区画に分けている。第１ロッキング部は、周辺側壁の外面に対向して形成されている。区画フレームは、容器の後側に形成され、周辺側壁及び横方向仕切りに沿って配置されている。
【００１１】
前カバーは、容器に回転可能に据え付けられ、それぞれ区画を密閉するために容器の前側を選択的に覆う。
【００１２】
後蓋は、容器の後側に取り外し可能に据え付けられており、メインカバーパネルと２つのサイドロッキングパネルとを有する。メインカバーパネルは、容器の後側を覆い、外周辺フレームと複数の内環状フレームとを有する。外周辺フレームは、メインカバーパネルの内面に形成されている。内環状フレームは、メインカバーパネルの内面に形成され、外周辺フレームによって囲まれ、それぞれ容器の区画の位置に対応している。各内側の環状フレームは、区画の対応する１つに形状が対応している。サイドロッキングパネルは、メインカバーパネルの２つの対向側端部に回転可能に接続されている。各サイドロッキングパネルは、それぞれ容器の第１ロッキング部に取り外し可能に係合される第２ロッキング部を有する。
【００１３】
メインカバーパネルが容器の後側を覆っている場合に、後蓋のメインカバーパネルの外周辺フレームと内側周辺フレームとの間に形成された溝に突出する容器の区画フレームで、２つのサイドロッキングパネルを容器の外周側壁に引っ掛けることによって、容器の後側は、後蓋によって簡単かつ確実に密閉される。後蓋が容器の後側を覆っている間、ほこりや湿気は、容器の後側を通じて薬剤箱に入らない。したがって、薬剤は、本考案の薬剤箱に適切に格納しておくことができる。
【図面の簡単な説明】
【００１４】
【図１】本考案による薬剤箱の上面斜視図である。
【図２】図１の薬剤箱の底面斜視図である。
【図３】図１の薬剤箱の上面分解斜視図である。
【図４】図１の薬剤箱の底面分解斜視図である。
【図５】図１の薬剤箱の断面正面図である。
【図６】図１の薬剤箱の別の断面正面図である。
【図７】図１の薬剤箱の断面側面図である。
【図８】従来技術による従来の薬剤箱の斜視図であり、後蓋カバーが開いていることを示している。
【図９】図８の従来の薬剤箱の正面図であり、容器を適切に覆っていない後部カバーを示している。
【考案の実施の形態】
【００１５】
図１及び図２を参照すると、本考案による薬剤箱は、容器１０と、複数の前カバー２１と、後蓋３０と、を備えている。
【００１６】
さらに、図３及び図４を参照すると、 容器１０は、前側、後側、周辺側壁１１と、複数の横方向仕切り１２と、少なくとも１つの縦方向仕切り１３と、２つの第１ロッキング部１４と、少なくとも１つの位置合わせ凸部１５と、区画フレーム１６と、を有する。
【００１７】
横方向仕切り１２及び少なくとも１つの縦方向仕切り１３は、周辺側壁１１に囲まれて接続され、容器１０の内部を複数の区画１０１に分ける。各区画１０１は、容器１０の前側及び後側を通って規定される。区画１０１は、錠剤やカプセルなどの丸薬を保管するためのものである。
【００１８】
第１ロッキング部１４は、周辺側壁１１の外面に対向して形成されている。少なくとも１つの位置合わせ凸部１５は、容器１０の後側から突出している。具体的には、少なくとも１つの位置合わせ凸部１５が容器１０の周辺側壁１１に形成されている。区画フレーム１６は、容器１０の後側に形成され、周辺側壁１１と横方向仕切り１２と少なくとも１つの縦方向仕切り１３とに沿って配置されている。
【００１９】
図１、図３、及び、図５を参照すると、前カバー２１は、容器１０に回転可能に据え付けられ、区画１０１をそれぞれ密封するために容器１０の前側を選択的に覆う。各前カバー２１は、内面と内環状フレーム２１１とを有する。前カバー２１の内面は、容器１０に面している。内環状フレーム２１１は、前カバー２１の内面に形成され、区画１０１の対応する１つの形状が対応している。前カバー２１が容器１０の前側を覆う場合に、内環状フレーム２１１は、区画１０１の対応する１つに突出する。
【００２０】
さらに、 図６及び図７参照すると、好ましい実施形態では、少なくとも１つの各縦方向仕切り１３は、縦方向仕切り１３を通って形成される複数の挿入スロット１３１を有する。また、各前カバー２１は、近位端及び遠位端２１２を有する。前カバー２１の近位端は、挿入パネル２２に回転可能に取り付けられ、挿入パネル２２は、縦方向仕切り１３の挿入スロット１３１の対応する１つに確実に挿入され、これによって、前カバー２１が容器１０に回転可能に据え付けられる。前カバー２１の遠位端は、容器１０の前側を確実に覆うために、容器１０の周辺側壁１１に取り外し可能に接続される。
【００２１】
さらに、好ましい実施形態では、各２つの前カバー２１が同じ挿入パネル２２に取り付けられている。他の実施形態では、前カバーがそれぞれ異なる挿入パネルに取り付けられてもよい。
【００２２】
図２及び図４に示すように、後蓋３０は、容器１０の後側に取り外し可能に据え付けられ、メインカバーパネル３１と、２つのサイドロッキングパネル３２と、位置決め板３３と、を有する。
【００２３】
メインカバーパネル３１は、容器１０の後側を覆い、内面と、外面と、２つの対向側縁部と、外周辺フレーム３１１と、複数の内環状フレーム３１２と、少なくとも１つの位置合わせ穴３１３と、を有する。後蓋３０の内面は、容器１０に面している。後蓋３０の外面は、後蓋３０の内面に対向して規定されている。
【００２４】
外周辺フレーム３１１は、メインカバーパネル３１の内面に形成されている。メインカバーパネル３１が容器１０の後側を覆っている場合、外周辺フレーム３１１は、区画フレーム１６を囲む。
【００２５】
内環状フレーム３１２は、メインカバーパネル３１の内面に形成され、外周辺フレーム３１１によって囲まれ、それぞれ、容器１０の区画１０１の位置に対応する。各内環状フレーム３１２は、区画１０１の対応する１つに形状が対応する。メインカバーパネル３１が容器１０の後側を覆う場合、内環状フレーム３１２は、それぞれ対応する区画１０１に突出し、容器１０の区画フレーム１６が、内環状フレーム３１２を囲む。
【００２６】
少なくとも１つの位置合わせ穴３１３は、メインカバーパネル３１を通って形成されている。少なくとも１つの各位置合わせ穴３１３は、容器１０の位置合わせ凸部１５の対応する１つに位置が対応する。メインカバーパネル３１が、容器１０の後側を覆う場合には、少なくとも１つの位置合わせ凸部１５が少なくとも１つの位置合わせ穴３１３に突出する。
【００２７】
２つのサイドロッキングパネル３２は、メインカバーパネル３１の２つの対向側端部に回転可能に接続されている。各サイドロッキングパネル３２は、第２ロッキング部３２１を有する。第２ロッキング部３２１は、それぞれ容器１０の第１ロッキング部１４に取り外し可能に係合される。サイドロッキングパネル３２の第２ロッキング部３２１が容器１０の第１ロッキング部１４に係合する場合、後蓋３０は容器１０に確実に保持される。
【００２８】
好ましい実施形態では、容器１０の第１ロッキング部１４とサイドロッキングパネル３２の第２ロッキング部３２１とが、細長い凸部をしている。このため、サイドロッキングパネル３２が押されて、容器１０の周辺側壁１１に面して回転する場合、各第２ロッキング部３２１と第１ロッキング部１４の対応する１つとが、相互に確実に引っ掛かる。
【００２９】
位置決め板３３は強磁性であり、メインカバーパネル３１の外面に埋め込まれている。強磁性の位置決め板３３は、磁性体に引き付けられるため、薬剤箱は磁性体が埋め込まれている特定の位置に安定して配置される。
【００３０】
説明した薬剤箱は、以下の利点を有する。メインカバーパネル３１が容器の後側を覆っている場合、後蓋３０のメインカバーパネル３１の外周辺フレーム３１１と内環状フレーム３１２との間に形成された溝に容器１０の区画フレーム１６が突出し、２つのサイドロッキングパネル３２を容器１０の周辺側壁１１に引っ掛けることによって、容器１０の後側は後蓋３０によって容易かつ確実に密封することができる。後蓋３０が容器１０の後側を覆っている間、ほこり及び湿気は容器１０の後側を通って薬剤箱に入らない。したがって、薬剤は、本考案の薬剤箱に適切に格納しておくことができる。
【図１】
0003230160.tif 000003
【図２】
0003230160.tif 000004
【図３】
0003230160.tif 000005
【図４】
0003230160.tif 000006
【図５】
0003230160.tif 000007
【図６】
0003230160.tif 000008
【図７】
0003230160.tif 000009
【図８】
0003230160.tif 000010
【図９】
0003230160.tif 000011